(57)【要約】      （修正有）【課題】自動料金収受システムの料金ゲートの有無に応じて料金ゲートの案内表示を変えるナビゲーション装置、ナビゲーション方法、及びナビゲーションプログラムを提供する。【解決手段】ナビゲーション装置は、車両が通過するものと見込まれる自動料金収受システムが料金ゲートを有している場合には（ステップ３０４でＹＥＳ又はステップ３０６でＹＥＳ）、料金ゲートの案内を表示し（ステップ３０５又はステップ３０７）、車両が通過するものと見込まれる自動料金収受システムが料金ゲートを有していない場合には（ステップ３０８でＹＥＳ又はステップ３１０でＹＥＳ）、料金ゲートの案内を表示しない（ステップ３０９又はステップ３１１）。【選択図】図３
2019086404.tif 000002
【特許請求の範囲】
【請求項１】
自動料金収受システムの位置情報と前記自動料金収受システムの料金ゲートの有無を示す情報とを対応付けて記憶する記憶装置と、
車両の位置情報を検出する位置検出装置と、
前記位置検出装置によって検出された前記車両の位置情報と、前記記憶装置に記憶されている前記自動料金収受システムの位置情報と、前記記憶装置に記憶されている前記料金ゲートの有無を示す情報に基づいて、前記車両が通過するものと見込まれる自動料金収受システムの料金ゲートの有無を判定する判定手段と、
前記車両が通過するものと見込まれる自動料金収受システムが料金ゲートを有している場合には、料金ゲートの案内を表示し、前記車両が通過するものと見込まれる自動料金収受システムが料金ゲートを有していない場合には、料金ゲートの案内を表示しない表示装置と、
を備えるナビゲーション装置。
【請求項２】
請求項１に記載のナビゲーション装置であって、
前記判定手段は、前記車両が前記自動料金収受システムとの間で無線課金可能な状態にあるか否かを判定する、ナビゲーション装置。
【請求項３】
コンピュータシステムが、
自動料金収受システムの位置情報と前記自動料金収受システムの料金ゲートの有無を示す情報とを対応付けて記憶するステップと、
車両の位置情報を検出するステップと、
前記検出された車両の位置情報と、前記記憶されている自動料金収受システムの位置情報と、前記記憶されている料金ゲートの有無を示す情報とに基づいて、前記車両が通過するものと見込まれる自動料金収受システムの料金ゲートの有無を判定するステップと、
前記車両が通過するものと見込まれる自動料金収受システムが料金ゲートを有している場合には、料金ゲートの案内を表示し、前記車両が通過するものと見込まれる自動料金収受システムが料金ゲートを有していない場合には、料金ゲートの案内を表示しないステップと、
を実行するナビゲーション方法。
【請求項４】
コンピュータシステムに、
自動料金収受システムの位置情報と前記自動料金収受システムの料金ゲートの有無を示す情報とを対応付けて記憶するステップと、
車両の位置情報を検出するステップと、
前記検出された車両の位置情報と、前記記憶されている自動料金収受システムの位置情報と、前記記憶されている料金ゲートの有無を示す情報とに基づいて、前記車両が通過するものと見込まれる自動料金収受システムの料金ゲートの有無を判定するステップと、
前記車両が通過するものと見込まれる自動料金収受システムが料金ゲートを有している場合には、料金ゲートの案内を表示し、前記車両が通過するものと見込まれる自動料金収受システムが料金ゲートを有していない場合には、料金ゲートの案内を表示しないステップと、
を実行させるナビゲーションプログラム。
【発明の詳細な説明】
【技術分野】
【０００１】
本発明は、ナビゲーション装置、ナビゲーション方法、及びナビゲーションプログラムに関わる。
【背景技術】
【０００２】
狭域無線通信（Dedicated Short Range Communications）を利用したシステムとして、ＥＴＣ（登録商標）システムと呼ばれる自動料金収受システムが実用化されている。日本国内で広く普及しているＥＴＣシステムには、料金ゲートを通じて車両を料金所に誘導する料金収受車線と、車両に搭載されたＥＴＣ車載器との間で路車間無線通信を行なうアンテナ装置と、料金収受車線の側部に設置された車両検知器と、料金収受車線の出口側に設置された開閉バーとが設けられている。料金ゲートへの車両の進入を車両検知器が検知すると、アンテナ装置は、ＥＴＣ車載器との間で路車間無線通信を開始し、課金処理を行う。課金処理が正常に終了すると、開閉バーが開き、車両は料金所を通過することができる。料金収受車線は、ＥＴＣ車載器を搭載した車両を、路車間無線通信を通じて課金処理を行う料金所に案内する車線（以下、ＥＴＣレーンと呼ぶ）と、ＥＴＣ車載器を搭載していない車両を、徴収員を通じて課金処理を行う料金所に案内する車線（以下、一般レーンと呼ぶ）とに大別できる。特開２００９−４２２５号公報には、ＥＴＣレーンと一般レーンとを区別して料金ゲートを案内表示するナビゲーション装置が記載されている。
【先行技術文献】
【特許文献】
【０００３】
【特許文献１】特開２００９−４２２５号公報
【発明の概要】
【発明が解決しようとする課題】
【０００４】
日本国内では、料金ゲートを有する料金所を通じて課金処理を行う方式が主流であるため、料金ゲートの案内表示は有益であるが、他国の自動料金収受システムの中には、料金ゲートを設けずに、例えば、路車間無線通信や車両ナンバーの撮影処理などを通じて課金処理を行う方式を採用している国も存在しており、このような国では、料金ゲートの案内表示自体が不要である。従来のナビゲーション装置の中には、料金ゲートを有しない自動料金収受システムについても、料金ゲートの案内表示をするものがあり、改善が望まれていた。
【０００５】
そこで、本発明は、自動料金収受システムの料金ゲートの有無に応じて料金ゲートの案内表示を変えることのできるナビゲーション装置を提案することを課題とする。
【課題を解決するための手段】
【０００６】
上述の課題を解決するため、本発明に関わるナビゲーション装置は、（i）自動料金収受システムの位置情報と自動料金収受システムの料金ゲートの有無を示す情報とを対応付けて記憶する記憶装置と、（ii）車両の位置情報を検出する位置検出装置と、（iii）位置検出装置によって検出された車両の位置情報と、記憶装置に記憶されている自動料金収受システムの位置情報と、記憶装置に記憶されている料金ゲートの有無を示す情報に基づいて、車両が通過するものと見込まれる自動料金収受システムの料金ゲートの有無を判定する判定手段と、（iv）車両が通過するものと見込まれる自動料金収受システムが料金ゲートを有している場合には、料金ゲートの案内を表示し、車両が通過するものと見込まれる自動料金収受システムが料金ゲートを有していない場合には、料金ゲートの案内を表示しない表示装置と、を備える。
【発明の効果】
【０００７】
本発明に関わるナビゲーション装置によれば、車両が通過するものと見込まれる自動料金収受システムの料金ゲートの有無に応じて料金ゲートの案内表示を変えることができる。
【図面の簡単な説明】
【０００８】
【図１】本発明の実施形態に関わるナビゲーション装置のハードウェア構成図である。
【図２】本発明の実施形態に関わる自動料金収受システムの属性情報の説明図である。
【図３】本発明の実施形態に関わるナビゲーション方法の処理の流れを示すフローチャートである。
【図４】本発明の実施形態に関わる表示画面の一例を示す説明図である。
【図５】本発明の実施形態に関わる表示画面の一例を示す説明図である。
【図６】本発明の実施形態に関わる表示画面の一例を示す説明図である。
【図７】本発明の実施形態に関わる表示画面の一例を示す説明図である。
【発明を実施するための形態】
【０００９】
以下、各図を参照しながら本発明の実施形態について説明する。ここで、同一符号は同一の構成要素を示すものとし、重複する説明は省略する。
図１は、本発明の実施形態に関わるナビゲーション装置１０のハードウェア構成図である。ナビゲーション装置１０は、出発地点から目的地点に至る推奨経路を車両１００に案内する車載装置である。ナビゲーション装置１０は、位置検出装置２０と、記憶装置３０と、通信モジュール４０と、操作部５０と、ナビゲーションＥＣＵ（Electronic Control Unit）６０と、案内装置７０とを備えるコンピュータシステムである。
【００１０】
位置検出装置２０は、車両１００の絶対位置を検出するＧＰＳ（Global Positioning System）と、車両１００の相対位置を検出する車速センサ及び方位センサとを備えている。
【００１１】
記憶装置３０は、地図情報３１を格納するＣＤ−ＲＯＭやＤＶＤ−ＲＯＭなどの光ディスク媒体又はメモリカードなどのメモリデバイスである。地図情報３１は、例えば、複数の異なる国の道路の接続関係に関わる情報を担う道路レイヤと、背景オブジェクトを表示するための情報を担う背景レイヤと、市町村などの文字を表示するための情報を担う文字レイヤと、ＩＩＳ（Integrated Information Service）情報を担うＩＩＳレイヤとを含む。道路レイヤは、ある交差点から他の交差点までの道路区間をグラフ理論によるグラフのリンクとして扱い、交差点をグラフのノードとして扱う。道路レイヤは、ノードとリンクとの間の接続関係に関わる情報やリンクの種別（例えば、一般道路と有料道路との区別）を示す情報などを含む。地図情報３１は、図２に示されるような各国の自動料金収受システムの属性情報９０を更に含む。属性情報９０の詳細については後述する。
【００１２】
通信モジュール４０は、道路交通情報通信システムからの交通情報（例えば、渋滞情報、事故情報、及び工事情報、交通規制情報）を受信する。
【００１３】
操作部５０は、乗員（運転者又は搭乗者）からの操作入力（例えば、目的地点や経路探索条件などの設定入力）を受け付けるタッチパネルやリモコンなどのユーザインタフェースである。
【００１４】
ナビゲーションＥＣＵ６０は、位置検出装置２０によって検出された車両１００の位置情報、記憶装置３０から読み出された地図情報３１、通信モジュール４０によって受信された交通情報、及び操作部５０を通じて入力された設定情報（例えば、目的地点や経路探索条件などの設定情報）などに基づいて推奨経路を探索する。
【００１５】
案内装置７０は、ナビゲーションＥＣＵ６０によって探索された推奨経路や後述する補助経路を乗員（運転者又は搭乗者）に案内するユーザインタフェースであり、画像表示を通じて推奨経路や補助経路を視覚的に案内する表示装置７１と、音響出力を通じて推奨経路や補助経路を聴覚的に案内する音響出力装置７２とを備えている。表示装置７１は、例えば、液晶ディスプレイであり、音響出力装置７２は、例えば、スピーカである。
【００１６】
ナビゲーションＥＣＵ６０は、プロセッサ６１と、記憶資源６２とを備えている。記憶資源６２は、コンピュータ読み取り可能な記録媒体（物理デバイス）が提供する記憶領域（論理デバイス）である。コンピュータ読み取り可能な記録媒体は、例えば、半導体メモリ（揮発性メモリ、不揮発性メモリ）やディスク媒体などの記憶デバイスである。記憶資源６２には、各種ナビゲーション機能（例えば、探索基点の設定機能、推奨経路の探索機能、補助経路の探索機能、経路情報の生成及び案内機能）を実現するナビゲーションプログラム６３が格納されている。プロセッサ６１は、記憶資源６２に格納されているナビゲーションプログラム６３を読み出してこれを解釈及び実行する。
【００１７】
ここで、探索基点の設定機能とは、出発地点、目標地点、及び経由地点などの推奨経路探索の基点となる位置座標（経度及び緯度）を求める機能である。推奨経路の探索機能とは、出発地点、目標地点、及び経由地点などの経路探索の基点から、推奨経路の検索範囲を設定し、検索条件を満たす推奨経路を探索する機能である。補助経路の探索機能とは、交通情報（例えば、予測できない渋滞や事故などの情報）に基づいて推奨経路を迂回する迂回経路を探索したり、或いは、車両１００が推奨経路から外れた場合に推奨経路への復帰を図るための復帰経路を探索したりする機能である。補助経路は、迂回経路や復帰経路を総称する経路である。経路情報の生成及び案内機能とは、各種経路（推奨経路及び補助経路）を案内するための画像信号や音声信号を生成及び出力する機能である。なお、推奨経路の探索では、例えば、ダイクストラ法が用いられ、補助経路の探索では、例えば、遺伝的アルゴリズムが用いられる。
【００１８】
ＥＴＣ車載器８０は、ＥＴＣシステムの料金所と路車間無線通信を行い、課金処理に要する情報（ＥＴＣカードの番号、入口料金所、出口料金所、通行料金などの情報）を交換して、通行料金の精算を行う車載装置である。このような路車間無線通信を通じて課金処理を行うことを無線課金と呼ぶ。ＥＴＣ車載器８０は、ナビゲーション装置１０に接続しており、課金情報をナビゲーション装置１０に送信する。ナビゲーション装置１０に送信された課金情報は、必要に応じて、案内装置７０を通じて車両１００の乗員（運転者又は搭乗者）に伝えられる。
【００１９】
図２は、自動料金収受システムの属性情報９０を示す。属性情報９０は、自動料金収受システムの識別情報（ＩＤ）９１と、自動料金収受システムの位置情報９２と、自動料金収受システムの料金ゲートの有無を示す情報９３とを対応付けたものである。
【００２０】
図３は、本発明の実施形態に関わるナビゲーション方法の処理の流れを示すフローチャートである。ナビゲーションプログラム６３には、図３に示す処理を実行することをプロセッサ６１に指示するコマンドが記述されている。プロセッサ６１は、ナビゲーションプログラム６３を解釈及び実行することにより、ナビゲーション装置１０の各部（位置検出装置２０、案内装置７０など）を制御し、図３に示す処理を実行する。
【００２１】
まず、プロセッサ６１は、位置検出装置２０を用いて車両１００の位置情報を検出する（ステップ３０１）。
【００２２】
次に、プロセッサ６１は、位置検出装置２０によって検出された車両１００の位置情報と、記憶装置３０に記憶されている自動料金収受システムの位置情報９２と、記憶装置３０に記憶されている料金ゲートの有無を示す情報９３とに基づいて、車両１００が通過するものと見込まれる自動料金収受システムの料金ゲートの有無を判定する（ステップ３０２）。車両１００の位置情報と自動料金収受システムの位置情報９２との比較により、車両１００が通過するものと見込まれる自動料金収受システムを特定することができる。また、車両１００が通過するものと見込まれる自動料金収受システムについて、料金ゲートの有無を示す情報９３を参照することにより、車両１００が通過するものと見込まれる自動料金収受システムの料金ゲートの有無を判定することができる。
【００２３】
次に、プロセッサ６１は、車両１００が自動料金収受システムとの間で無線課金可能な状態にあるか否かを判定する（ステップ３０３）。有効期限が切れていないＥＴＣカードがＥＴＣ車載器８０に挿入されている場合には、車両１００が自動料金収受システムとの間で無線課金可能な状態にあるものと判定される。一方、ＥＴＣカードがＥＴＣ車載器８０に挿入されていない場合や、ＥＴＣ車載器８０に挿入されているＥＴＣカードの有効期限が切れている場合には、車両１００が自動料金収受システムとの間で無線課金可能な状態にないものと判定される。
【００２４】
なお、無線課金は、ＥＴＣカードを用いる方式に限られるものではなく、例えば、料金収受車線の路側に配置されたＲＦＩＤ（Radio Frequency Identification）リーダを通じて、車載ＲＦＩＤに記録されている情報を読み取って、課金処理する方式を含む。車両１００が、ＥＴＣカードを用いて無線課金をする方式に替えて、ＲＦＩＤを用いて無線課金する方式を用いる場合には、ステップ３０３において、プロセッサ６１は、ＲＦＩＤが車両１００に搭載されているか否かを判定する。ＲＦＩＤが車両１００に搭載されている場合には、車両１００が自動料金収受システムとの間で無線課金可能な状態にあるものと判定される。一方、ＲＦＩＤが車両１００に搭載されていない場合には、車両１００が自動料金収受システムとの間で無線課金可能な状態にないものと判定される。
【００２５】
車両１００が通過するものと見込まれる自動料金収受システムが料金ゲートを有しており、且つ、車両１００が無線課金可能な状態にある場合には（ステップ３０４；ＹＥＳ）、表示装置７１は、料金ゲートの案内を表示する（ステップ３０５）。このとき、表示装置７１は、例えば、図４に示すように、無線課金可能な料金所に車両１００を誘導するように、ＥＴＣレーンと一般レーンとを区別して料金ゲートの案内を表示してもよく、更に、通行料金を併せて表示してもよい。
【００２６】
車両１００が通過するものと見込まれる自動料金収受システムが料金ゲートを有しており、且つ、車両１００が無線課金可能な状態にない場合には（ステップ３０６；ＹＥＳ）、表示装置７１は、料金ゲートの案内を表示する（ステップ３０７）。このとき、表示装置７１は、例えば、図５に示すように、徴収員を通じて課金処理を行う料金所に車両１００を誘導するように、ＥＴＣレーンと一般レーンとを区別して料金ゲートの案内を表示してもよい。
【００２７】
車両１００が通過するものと見込まれる自動料金収受システムが料金ゲートを有してらず、且つ、車両１００が無線課金可能な状態にある場合には（ステップ３０８；ＹＥＳ）、表示装置７１は、料金ゲートの案内を表示しない（ステップ３０９）。このとき、表示装置７１は、例えば、図６に示すように、料金ゲートの案内を表示せずに、通行料金を表示してもよい。
【００２８】
車両１００が通過するものと見込まれる自動料金収受システムが料金ゲートを有してらず、且つ、車両１００が無線課金可能な状態にない場合には（ステップ３１０；ＹＥＳ）、表示装置７１は、料金ゲートの案内を表示しない（ステップ３１１）。このとき、表示装置７１は、例えば、図７に示すように、料金ゲートの案内を表示せずに、注意事項（車両１００が無線課金せずに料金所を通過してしまうことを運転者に知らせる注意事項）と、通行料金とを表示してもよい。
【００２９】
ナビゲーション装置１０のハードウェア資源とナビゲーションプログラム６３との協働により、ステップ３０１〜３１１の処理を実行する手段としての機能が実現される。このような機能と同様の機能を、専用のハードウェア資源（例えば、特定用途向け集積回路（ＡＳＩＣ））やファームウェアを用いて実現してもよい。
【００３０】
以上、説明したように、本発実施形態に関わるナビゲーション装置１０によれば、車両１００が通過するものと見込まれる自動料金収受システムが料金ゲートを有していないのにも関わらず、料金ゲートの案内が表示されてしまうという従来の不都合を解消することができる。
【００３１】
以上説明した実施形態は、本発明の理解を容易にするためのものであり、本発明を限定して解釈するためのものではない。本発明は、その趣旨を逸脱することなく、変更又は改良され得るととともに、本発明には、その等価物も含まれる。
【符号の説明】
【００３２】
１０…ナビゲーション装置  ２０…位置検出装置  ３０…記憶装置  ３１…地図情報  ４０…通信モジュール  ５０…操作部  ６０…ナビゲーションＥＣＵ  ６１…プロセッサ  ６２…記憶資源  ６３…ナビゲーションプログラム  ７０…案内装置  ７１…表示装置  ７２…音響出力装置  ８０…ＥＴＣ車載器  ９０…属性情報  １００…車両
【図１】
2019086404.tif 000003
【図２】
2019086404.tif 000004
【図３】
2019086404.tif 000005
【図４】
2019086404.tif 000006
【図５】
2019086404.tif 000007
【図６】
2019086404.tif 000008
【図７】
2019086404.tif 000009